(57)【特許請求の範囲】
【請求項１】
飲料水が貯留され、開口部を有するボトル本体と、
軟質の弾性材料から成り、前記ボトル本体の開口部に装着される乳首部材と、
可撓性フィルムから成り、前記ボトル本体内に収容される袋部材であって、該袋部材の開口部が前記ボトル本体の開口部に開口状態で接合され、前記ボトル本体の開口部よりも内方に収容される領域に破断用の脆弱部が形成される袋部材と、
前記袋部材に収容される飲用粉末体と、
前記乳首部材を被うように前記ボトル本体の開口部に切除可能なように固着される、軟質の弾性材料からなる保護カバーと、
前記保護カバーを被うように前記ボトル本体の開口部に着脱可能に装着されるキャップとを含むことを特徴とする飲料容器。
【請求項２】
前記飲用粉末体は、ブロック状の成形体からなることを特徴とする請求項１に記載の飲料容器。
【請求項３】
前記飲用粉末体は、流動状の粉粒体からなることを特徴とする請求項１に記載の飲料容器。
【請求項４】
前記飲用粉末体は、ブロック状の成形体と流動状の粉粒体との混合物からなることを特徴とする請求項１に記載の飲料容器。
【請求項５】
前記飲用粉末体は、粉末ミルクであることを特徴とする請求項１〜４のいずれか１つに記載の飲料容器。
【発明の詳細な説明】
【技術分野】
【０００１】
本発明は、災害時などの非常時においても、乳児に授乳することができる飲料容器に関する。
【背景技術】
【０００２】
大地震などの災害時において、乳児をかかえる親が、哺乳瓶や粉末ミルク、温水ポットなどを揃えて避難することは極めて難しい。したがって、避難先では、乳児に授乳することが困難となる事態に陥ってしまう場合が多い。
【０００３】
このような災害時であっても、乳児に授乳を行うことができる技術として、特許文献１には、粉末ミルク、ペットボトルなどの使い捨ての哺乳瓶および水を加熱するための簡易加熱器を１セットにした授乳セットが示されている。さらに、特許文献１では、このような授乳セットを、コンビニエンスストアや、高速道路のサービスエリア、駅の売店あるいは百貨店の授乳室などで販売し、外出先でも手軽にミルクを調製して乳児に授乳することができる授乳支援システムも提案されている。
【０００４】
また、特許文献２には、容器本体に水を充填し、キャップに飲料の素（例えば、茶粉末）を収納し、飲用時にキャップを操作して茶粉末の収納部を破断させて飲料の素を容器本体内に落下させて、飲料の素と水とを混合させるようにした飲料容器が提案されている。
【先行技術文献】
【特許文献】
【０００５】
【特許文献１】特開２００６−３２６２３６号公報
【特許文献２】特開２０１１−２３５９０４号公報
【発明の概要】
【発明が解決しようとする課題】
【０００６】
特許文献１に示された従来技術では、外出先で簡易に授乳用ミルクを調製することができる。したがって、災害時などの非常用哺乳瓶として活用することも可能である。しかし、粉末ミルクは、スティックパックにパッキングされているため、その都度手指でスティックパックの一部を切り取って開封し、ペットボトルに粉末ミルクを入れる作業や、飲料水を別途調達してペットボトルに注入する作業などが必要とされる。避難所などのような不便な環境においては、このような作業をスムースに行いにくいことが予想され、なお一層の改良が望まれるところである。また、避難所などでは、洗浄用の水や石鹸などが不足していることが多いので、手指を衛生的な状態に維持することは難しい。このような手指で、スティックパックの一部を切り取って授乳用ミルクを調製すると、授乳用ミルクに雑菌などが入り込む可能性があり、雑菌などへの耐性が低い乳児の健康を害する可能性がある。
【０００７】
また、特許文献２に示された従来技術は、飲用時に茶粉末などの飲料の素と水とを混合させることによって、淹れたての茶などの風味を味わえるようにするものであるが、授乳用ミルクを簡易に調製することを意図したものではない。授乳用ミルクを調製する際に必要な粉末ミルクの量は、茶を作る際に用いる茶粉末の量よりも非常に多くの量が必要である。したがって、特許文献２の技術において、茶粉末の代わりに粉ミルクを用いたとしても、収納容量が十分ではないので、授乳用ミルクを調製することはできない。
【０００８】
また、キャップ体が、押圧用キャップと蓋体キャップとからなり、前記飲料の素を収納する収納筒を破断させる手段が、押圧用キャップ、押圧棒、押圧用キャップに設けられた押圧棒を加圧するための突起などから構成されている。しかも、蓋体キャップと押圧用キャップとの間に供回りを防止する手段なども設けられている。そのため、キャップ体の構造が複雑となり、これを使い捨ての哺乳瓶などに適用するには、コストが高くなり過ぎることが予想され、実用化するには、これらの問題点を解決する必要があることは否めなかった。
【０００９】
したがって、本発明の目的は、簡単な構成であり、衛生的な授乳用ミルクなどの飲料を簡易に調製することができる飲料容器を提供することである。
【課題を解決するための手段】
【００１０】
本発明は、飲料水が貯留され、開口部を有するボトル本体と、
軟質の弾性材料から成り、前記ボトル本体の開口部に装着される乳首部材と、
可撓性フィルムから成り、前記ボトル本体内に収容される袋部材であって、該袋部材の開口部が前記ボトル本体の開口部に開口状態で接合され、前記ボトル本体の開口部よりも内方に収容される領域に破断用の脆弱部が形成される袋部材と、
前記袋部材に収容される飲用粉末体と、
前記乳首部材を被うように前記ボトル本体の開口部に切除可能なように固着される、軟質の弾性材料からなる保護カバーと、
前記保護カバーを被うように前記ボトル本体の開口部に着脱可能に装着されるキャップとを含むことを特徴とする飲料容器である。
【００１１】
また、本発明は、前記飲用粉末体は、ブロック状の成形体からなることを特徴とする。
また、本発明は、前記飲用粉末体は、流動状の粉粒体からなることを特徴とする。
【００１２】
また、本発明は、前記飲用粉末体は、ブロック状の成形体と流動状の粉粒体との混合物からなることを特徴とする。
また、本発明は、前記飲用粉末体は、粉末ミルクであることを特徴とする。
【発明の効果】
【００１３】
本発明に係る飲料容器によれば、キャップを取り外し、保護カバーとともに乳首部材を弾性変形させるように押圧すると、この押圧力を受けて飲用粉末体はボトル本体内に向け押し込まれる。この飲用粉末体の押し込み圧によって袋部材が脆弱部から破断し、袋部材に収納されている飲用粉末体が落下し、ボトル本体に貯留されている飲料水内に落下する。袋部材には、破断を容易にするための脆弱部が形成されているから、前記押し込み圧によってこの脆弱部から袋部材が破断され、飲用粉末体を飲料水に確実に落下させることができる。
【００１４】
飲用粉末体が飲料水内に落ち込んだ状態で、ボトル本体を振って飲料水と飲用粉末体とを混合し、飲用粉末体を飲料水に分散させれば飲料を調製できる。このとき、ボトル本体を適宜加温して、飲料を温めてもよい。
【００１５】
本発明の飲料容器は、このように構成されているから、たとえば災害時の避難所などにおいても簡易に授乳用ミルクなどの飲料を調製することができる。そして、乳首部材が飲用粉末体をボトル内に落し込む手段を兼ねることになるから、既存の飲料容器の構造を大きく変えることなく本発明の飲料容器を構成することができ、コストが高くなる懸念がない。しかも、実質的にボトル本体１個にコンパクトにまとめられているから、保管性や輸送性に優れ、自治体などにおいては、多くの飲料容器を非常用として備蓄しておくことができ、不意の災害時などにおいても、必要とされる人たちに速やかに提供することができる。
【００１６】
また、飲用粉末体を飲料水に落下させる際には、保護カバーを手指で押圧することになるので、乳首部材に直接手指が触れることなく飲用粉末体を飲料水に落下させることができる。したがって、乳首部材に手指から雑菌が付着する可能性を低減することができるので、乳首部材を清潔状態に保つことができ、衛生的な飲料を提供することができる。
【００１７】
また、袋部材の開口部がボトル本体の開口部に開口状態で接合されているので、飲用粉末体を袋部材だけでなく、乳首部材にまで収容することができる、すなわち、多くの飲用粉末体を収容することができる。したがって、調整する際に多くの粉末ミルクを要する授乳用ミルクなどの飲料であっても調製することができる。
【００１８】
また、本発明によれば、飲用粉末体が、ブロック状の成形体からなるので、市場での入手がし易い上に、袋部材に安定して収容することができる。そして、乳首部材を押圧してボトル内に飲用粉末体を落下させる際に、袋部材に対して押し込み圧が強く作用し、袋部材の破断をより確実に行うことができる。
【００１９】
さらに、本発明によれば、飲用粉末体が、流動状の粉粒体からなるので、市場での入手がし易い。また、収容量の調整が行い易いので、飲用粉末体の収容量を袋部材に対する適正な収容量に容易にすることができる。
【００２０】
さらに、本発明によれば、飲用粉末体が、ブロック状の成形体と流動状の粉粒体との混合物からなるから、ブロック状の成形体であることの前記特性と、流動状の粉粒体であることの前記特性が相乗した効果が発揮される。また、ブロック状の成形体だけでは必要な飲用粉末体の分量が得られない場合、適量の流動状の粉粒体を併用することによって、必要な飲用粉末体の分量を得ることができる。
【００２１】
さらに、本発明によれば、飲用粉末体が粉末ミルクであるので、衛生的な授乳用ミルクを容易に提供することができる。
【図面の簡単な説明】
【００２２】
【図１】本発明に係る第１の実施形態の飲料容器１を示す縦断面図である。
【図２】飲料容器１の外観を示す正面図である。
【図３】飲料容器１を使用するための準備動作を示す縦断面図である。
【図４】飲料容器１の変形例を示す縦断面図である。
【図５】本発明に係る第２の実施形態の飲料容器１を示す縦断面図である。
【図６】本発明に係る第３の実施形態の飲料容器１を示す縦断面図である。
【発明を実施するための形態】
【００２３】
図１は本発明に係る第１の実施形態の飲料容器１を示す縦断面図であり、図２は飲料容器１の外観を示す正面図、図３は飲料容器１を使用するための準備動作を示す縦断面図である。
【００２４】
本実施形態における飲料容器１は、飲料水ｗが貯留され、開口部３を有するボトル本体２と、軟質の弾性材料から成り、ボトル本体２の開口部３に装着される乳首部材４と、可撓性フィルムから成り、ボトル本体２内に収容される袋部材５であって、袋部材５の開口部１４がボトル本体２の開口部３に開口状態で接合され、ボトル本体２の開口部３よりも内方に収容される領域に破断用の脆弱部１６が形成される袋部材５と、袋部材５に収容される飲用粉末体６と、乳首部材４を被うようにボトル本体２の開口部３に着脱可能に装着される、軟質の弾性材料からなる保護カバー４０と、保護カバー４０を被うようにボトル本体２の開口部３に着脱可能に装着されるキャップ７とを含む。
【００２５】
袋部材５に収容された飲用粉末体６は、キャップ７が取り外され、手指ｆなどによって保護カバー４０とともに乳首部材４が弾性変形するように押圧されると、この押圧力を受けてボトル本体２内に向け押し込まれる。この飲用粉末体６の押し込み圧によって袋部材５が脆弱部１６から破断する。このようにして、飲料容器１では、飲用粉末体６が飲料水ｗ内に落下し得るよう構成されている。
【００２６】
そして、飲用粉末体６が飲料水ｗ内に落下状態で、ボトル本体を振って飲料水ｗと飲用粉末体６とを混合し、飲用粉末体６を飲料水ｗ内に分散させれば飲料を調製することができる。
【００２７】
袋部材５には、破断を容易にするための脆弱部１６が形成されているから、押し込み圧によってこの脆弱部１６から袋部材５が破断され、飲用粉末体６を飲料水ｗ内に確実に落下させることができる。
【００２８】
このように飲用粉末体６を飲料水ｗに落下させる際には、保護カバー４０を手指で押圧することになるので、乳首部材４に直接手指ｆが触れることなく飲用粉末体６を飲料水ｗに落下させることができる。
【００２９】
本実施形態における飲料容器１は、哺乳瓶であり、飲用粉末体６は、粉末ミルクである。以下では、飲用粉末体６を、粉末ミルク６と記載する場合がある。
【００３０】
ボトル本体２は、ペット（ポリエチレンテレフタレート）ボトルやアルミニウムボトルからなり、図ではペットボトルからなる例を示している。ボトル本体２における開口部３の外周部には雄ねじ部１０が形成されており、乳首部材４の基部に形成された雌ねじ部１１と雄ねじ部１０とを螺合することによって、乳首部材４が開口部３に装着されている。乳首部材４は、シリコーンゴムやイソブチレンゴムなどの合成ゴム、あるいは天然ゴムなどの軟質の弾性材料によって、図示のような中空形状に作製され、その内外面には防汚処理が施されている。
【００３１】
乳首部材４の先端（上端）には、乳首部材４の内外に通じる吸飲用の小孔１２が設けられている。保護カバー４０は軟弾性の合成樹脂フィルムからなり、その内外面に防汚処理が施され、開口部３に装着された乳首部材４の基部（雌ねじ部１１が形成された部分）の外周部に一体に固着されている。
【００３２】
キャップ７は合成樹脂の成型体からなる。キャップ７は、保護カバー４０における乳首部材４の基部に固着された部分の外周部に嵌合することによって取付けられる。これによって、乳首部材４および保護カバー４０の全体がキャップ７で被われる。
【００３３】
キャップ７は、開口部３に着脱自在に取付けられるが、この取付け状態では、キャップ７の内部と乳首部材４の上半部（雌ねじ部１１が形成されている部分より上側部）１３および保護カバー４０との間に空間８が確保され、キャップ７の取付け時に、乳首部材４の上半部１３が保護カバー４０を介してキャップ７によって押されないように構成されている。そのため、開口部３の下端部には、乳首部材４の基部（同上）より大径のストッパ９が固着されており、キャップ７を取付け時にその下端部がストッパ９に当接し、これによって、キャップ７の過剰の押し込みを防止して空間８が確保される。
【００３４】
袋部材５は、たとえば、アルミニウムの蒸着膜をサンドイッチ状に樹脂フィルムで２層〜４層に積層したマルチシートを袋状に形成してなり、その内外には防汚処理が施されている。このマルチシートとしては、食品包装用シートとして汎用されているものを充当させることができる。袋部材５は、ボトル本体２内に挿入され、その開口部１４がボトル本体２の開口部３の開口縁部１５に溶着された状態であって、開口状態で接合され、開口部３に支持されている。
【００３５】
本実施形態の粉末ミルク６は、ブロック状（キューブ状も含む）の成形体である成形体ミルク６Ａからなる。成形体ミルク６Ａは、粉末ミルク６に圧力を加えることによってブロック状などに成形したものである。
【００３６】
成形体ミルク６Ａの大半部は、袋部材５内に収容されて、保持されている。この保持状態で成形体ミルク６Ａの上部６ａが開口部３より上方に突出し、この上部６ａが乳首部材４の内部にまで及ぶような概ね円筒状あるいは角筒状の棒形状に形成されている。袋部材５の成形体ミルク６Ａを保持する部分であって、ボトル本体２内に臨む部分の表面または裏面には、脆弱部１６が形成されている。
【００３７】
本実施形態における脆弱部１６は、点線状に形成された切り込みであり、ボトル本体２内に臨む部分の表面に形成される場合には、裏面まで貫通せず、ボトル本体２内に臨む部分の裏面に形成される場合には、表面まで貫通しない切り込みである。以下では、脆弱部１６を切り込み１６ということがある。
【００３８】
前記のように構成される本実施形態の飲料容器１は、図２の外観正面図にも示されるように、各構成部材が実質上１個のボトル本体２にコンパクトにまとめられている。したがって、本実施形態の飲料容器１は、搬送性や保管性に優れ、この面からも後記するような非常用の飲料容器としての適性を備えるものである。
【００３９】
本実施形態の飲料容器１を使用するにあたっての準備動作の要領について図３を参照して説明する。まず、キャップ７を取り外し、保護カバー４０とともに乳首部材４の上半部１３を手指ｆで下方（図３中で矢印ａで示す方向）に押圧して、図３に示すように保護カバー４０および乳首部材４を弾性変形させる。
【００４０】
これによって、成形体ミルク６Ａの上部６ａに下方（矢印ａ方向）への押圧力が作用し、成形体ミルク６Ａはボトル本体２内に向けて、すなわち下方に押し込まれる。この成形体ミルク６Ａの押し込み圧によって袋部材５が切り込み１６に沿って破断し、袋部材５に収納されている成形体ミルク６Ａが落下し、ボトル本体２に貯留されている飲料水ｗ内に落下する。
【００４１】
この状態で、ボトル本体２を振って飲料水ｗ内に成形体ミルク６Ａを混合し、成形体ミルク６Ａを飲料水ｗに分散させれば授乳用ミルクが調製される。このとき、可能であれば、ボトル本体２を適宜加温して、調製された授乳用ミルクを人肌程度に温めるようにすることが望ましい。授乳の際には、保護カバー４０は切除される。この切除を容易にするため適当な位置に切り込み（図示せず）を設けてもよい。
【００４２】
このように、本実施形態の飲料容器１によれば、乳首部材４が飲用粉末体６をボトル本体２内に落し込む手段を兼ねることになるから、既存の飲料容器の構造を大きく変えることなく飲料容器１を構成することができ、コストが高くなる懸念がない。
【００４３】
また、本実施形態の飲料容器１によれば、簡易に授乳用のミルクが調製され、しかも、前記のようにコンパクトに構成されるから、自治体などにおいては、非常用として備蓄しておき、避難所などにおいて、必要とされる人に速やかに提供することができる。したがって、災害時での乳児をかかえる人たちにとって極めて有益である。
【００４４】
また、乳児をかかえる一般家庭においても、本実施形態の飲料容器１をいくつか常備しておけば、不意の災害時に限らず、外出時における持ち出しが煩わしくなく、外出先で簡易に授乳用のミルクを調製でき、極めて便利である。このように授乳用のミルクが調製された飲料容器１を用い、一般の飲料容器と同様に乳首部材４を乳児にくわえさせるように授乳すれば、乳児は前記小孔１２よりボトル本体２内のミルクを吸飲することができる。
【００４５】
前記のように、成形体ミルク６Ａをボトル本体に２内に落し込む作業は、直接乳首部材４に触れず保護カバー４０を介してなされるため、乳首部材４に手指ｆから雑菌が付着する可能性を低減することができ、乳首部材４を清潔状態に保つことができるので、そのまま乳児にくわえさせることができる。
【００４６】
図４は、飲料容器１の変形例を示す縦断面図である。本変形例の飲料容器１では、粉末ミルク６が前記例と同様に成形体ミルク６Ａからなるが、袋部材５に収容され、保持された状態の下端部が斜めにスライスされたような形状とされている点で前記例と異なる。
【００４７】
袋部材５の形状は、前記例と同様に成形体ミルク６Ａの形状に整合する形状とされ、また、切り込み１６が成形体ミルク６Ａの下端の鋭角部に及ぶように形成されている。本変形例では、成形体ミルク６Ａの下端部が鋭角状に形成されているから、図３に示したような準備動作の際において、成形体ミルク６Ａに加えられる押し込み圧が鋭角部に集中し、袋部材５の破断を効果的に行うことができる。このような破断を促進させる形状としては、円錐（角錐）形状も有効である。
【００４８】
その他の構成は前記例と同様であるので、共通部分に同一の符号を付し、ここではその説明を省略する。
【００４９】
図５は、本発明に係る第２の実施形態の飲料容器１を示す縦断面図である。この実施形態の飲料容器１においては、粉末ミルク６が流動状の粉粒体である粉粒体ミルク６Ｂからなる。
【００５０】
本例では、粉粒体ミルク６Ｂは、袋部材５の内部はもとより、前記乳首部材４の内部をも満たすように充填されている。その他の構成は、前記各例と同様である。この例においても、準備動作においては、キャップ７を取り外し、保護カバー４０とともに乳首部材４の上半部１３を手指ｆ（図３参照）で下方（ボトル本体２内）に押して、保護カバー４０および乳首部材４を弾性変形させる。
【００５１】
これによって、粉粒体ミルク６Ｂの充填層の上部６ｂに押圧力が作用し、粉粒体ミルク６Ｂはボトル本体２内に向け押し込まれる。このとき、粉末ミルク６が粉粒体ミルク６Ｂであるため、前記例の成形体ミルク６Ａの場合のような強い押し込み力は作用しないが、粉粒体ミルク６Ｂが乳首部材４の内部をも満たすように充填されていることにより、切り込み１６に沿った破断が可能とされる。この破断がより確実になされるよう、切り込み１６を成形体ミルク６Ａの場合に比べて多く、あるいは、深く形成することも有効である。
【００５２】
前記のように、袋部材５が破断すると、粉粒体ミルク６Ｂはボトル本体２内の飲料水ｗ内に落下し、ボトル本体２を振ることによって粉粒体ミルク６Ｂが飲料水ｗに分散する。この場合、粉粒体ミルク６Ｂは、成形体ミルク６Ａの場合に比べて飲料水ｗに分散し易いので、授乳用ミルクの調製をより速やかに行うことができる。また、適正量の調整も成形体ミルク６Ａの場合より行い易いというメリットも備える。
【００５３】
その他の構成は前記例と同様であるから、共通部分に同一の符号を付し、ここでもその説明を省略する。
【００５４】
図６は、本発明に係る第３の実施形態の飲料容器１を示す縦断面図である。この例では、粉末ミルク６が、ブロック状の成形体ミルク６Ａと、粉粒体ミルク６Ｂとの混合物からなる。ブロック状の成形体ミルク６Ａは、第１の実施形態と同様の形状とされ、該成形体ミルク６Ａのボトル本体２内に臨む部分の周囲に粉粒体ミルク６Ｂが充填されるよう、袋部材５が図６に示すように図１に示す例より大きな容量に形成されている。
【００５５】
図６に示す袋部材５の容量は、ボトル本体２の上部空間の容積にほぼ等しいことを示しているが、この容量は仕様に応じて適宜定められる。また、図６では袋部材５が形状保持性のある材料で構成された例を示しているが、他の例として、可撓性のある材料で構成される場合には、粉粒体ミルク６Ｂの充填度合いにもよるが、袋部材５は、図６に示すよりもボトル本体２の底部側に垂れ下がった形状となる。また、成形体ミルク６Ａの下端形状も、図４に示すような形状や、円錐（角錐）形状も同様に採用可能である。
【００５６】
袋部材５の底部には、図示を省略するが、成形体ミルク６Ａの下端中心部分に相当する部分から放射状に切り込みが形成されている。そして、準備動作においては、図３に示す例と同様に、キャップ７を取り外し、保護カバー４０とともに乳首部材４の上半部１３を手指ｆ（図３参照）で下方（ボトル本体２内）に押して、保護カバー４０および乳首部材４を弾性変形させる。
【００５７】
これによって、成形体ミルク６Ａの上部６ａに押圧力が作用し、成形体ミルク６Ａはボトル本体２内に向けて（矢印ａ方向に）押し込まれる。これに伴って、成形体ミルク６Ａの下端が袋部材５に作用し、袋部材５が前記不図示の切り込みに沿って破断し、袋部材５に収納されている成形体ミルク６Ａが落下する（図６の２点鎖線部参照）。同時に粉粒体ミルク６Ｂも落下し、成形体ミルク６Ａおよび粉粒体ミルク６Ｂがボトル本体２に貯留されている飲料水ｗ内に落下する。この状態で、ボトル本体２を振って飲料水ｗと成形体ミルク６Ａおよび粉粒体ミルク６Ｂとを混合し、成形体ミルク６Ａおよび粉粒体ミルク６Ｂを飲料水ｗ中に分散させれば、授乳用のミルクが調製される。
【００５８】
このように成形体ミルク６Ａと粉粒体ミルク６Ｂとを併用するようにすれば、成形体ミルク６Ａだけでは必要な授乳量が得られない場合、これを粉粒体ミルク６Ｂで補うように調整することができ、これによって、様々な需要態様に応じた適正な製品仕様を設定することができる。
【００５９】
なお、ボトル本体２、乳首部材４およびキャップ７などの形状は、図示の例に限定されるものではない。一般の飲料容器用乳首として、乳児の特性に応じて適宜選択し得る様々な形状の乳首が各種市販されているが、本発明においてもそのような乳首の各形状を採用可能である。
【００６０】
また、実施形態の乳首部材４は全体が軟質の弾性材料からなる例を示しているが、ボトル本体２の開口部３に対する装着基部を、合成樹脂の成型体からなるものとしても良い。さらに、キャップ７は乳首部材４の前記基部に対して着脱自在に嵌合する例を示したが、これを螺合によって着脱自在とするように構成しても良い。
【００６１】
また、切り込み１６として、点線状のものを例示したが、鎖線状、波線状、その他の線状とすることも可能である。
【００６２】
また、切り込み１６の形成パターンも図示のものに限定されず、保管時や輸送時などにおいては袋部材５が破断せず、前記準備動作においては容易に破断するような形成パターンを設計的事項として適宜することもできる。
【符号の説明】
【００６３】
１    飲料容器
２    ボトル本体
３    開口部
４    乳首部材
４０  保護カバー
５    袋部材
６    粉末ミルク
６Ａ  成形体ミルク
６Ｂ  粉粒体ミルク
７    キャップ
１６  脆弱部
ｗ    飲料水
【図１】
0005925536.tif 000002
【図２】
0005925536.tif 000003
【図３】
0005925536.tif 000004
【図４】
0005925536.tif 000005
【図５】
0005925536.tif 000006
【図６】
0005925536.tif 000007